(57)【要約】      （修正有）【課題】高周波を受信する電波時計において、受信性能を阻害しないソーラーセルの構造を提供する。【解決手段】受信性能に影響を与えるソーラーセルの電極とアンテナを平面的に重ねない。具体的には、ソーラーセル１０２を文字盤１０１方向から見てアンテナ１０３が投影される部分以上の領域にあたるソーラー切り欠き部１１１を切り欠く。切り欠く代わりに、アンテナ１０３と平面的に重なる部分に太陽電池層を積層しないようにしても良い。積層しない部分に、太陽電池と同様の色を着色しても良い。【選択図】図１
2014059321.tif 000002
【特許請求の範囲】
【請求項１】
カバーガラスの下に配置された文字盤と、
時計内に配置されたアンテナと、
時計内に配置されたソーラーセルと、を備え、
前記ソーラーセルは、前記文字盤の下に配置され、
前記ソーラーセルの発電面は、文字盤に平行に配置され、
前記ソーラーセルは、切り欠き部を有し、
該切り欠き部の辺は、分割線で構成され、
前記アンテナは、前記切り欠き部に配置されている
ことを特徴とする電波時計。
【請求項２】
前記アンテナはＧＰＳ帯域を受信するパッチアンテナである
ことを特徴とする請求項１に記載の電波時計。
【請求項３】
前記切り欠き部は、前記文字盤方向から見て、前記アンテナが投影される面積以上の領域を有することを特徴とする請求項１又は２に記載の電波時計。
【発明の詳細な説明】
【技術分野】
【０００１】
本発明は、電波を受信する電波時計とソーラーセル発電機能との両方の機能を有する電波時計に関するものであり、その中でも、特にＧＰＳなどの高周波電波を受信する電波時計に関するものである。
【背景技術】
【０００２】
時刻情報を含む標準電波を受信し、ここから正確な時刻を取得し、修正することのできる電波時計は既に広く使用されている。また、腕時計型、クロック型においてもソーラーセルを備えて、太陽光などの光を受光して発電させ、電池に蓄電してエネルギーとしている製品も実用化されており、こちらも広く使用されている。
【０００３】
図７は、このような電波時計の構成を示す斜視図である。この電波時計は、カバーガラス７００、文字盤７０１、ソーラーセル７０２、アンテナ７０３、基板７０４、RF受信ＩＣ７０５、デコーダーＩＣ７１１、輪列７０６、モーター７０７、電池７０８、外装７０９、竜頭７１０から構成されている。
【０００４】
この電波時計においては、アンテナ７０３で標準電波を受信し、RF受信部７０５にてベースバンド周波数への変換を行い、デコーダー７１１にて時刻情報を得る。ここで得られた時刻情報に基づき、所望の時刻へとモーター７０７を駆動し、輪列７０６にて針を駆動せしめ、時刻を修正するものである。これら一連の動作に必要なエネルギーは、文字盤７０１に近接して配置されたソーラーセル７０２にて光エネルギーから電気エネルギーへと変換され、電池７０８に蓄えられ、利用時に供出される仕組みである。
【０００５】
腕時計には機能もさる事ながら、デザインが強く要求される装飾品の観点も強く、外装７０９や文字盤７０１等外見を作用する部品の色、素材、デザイン性等の本質的な機能とは無関係な要素が非常に大事である。これにより製品の価値、販売数が大きく変化するのでメーカーは機能とデザインの両立に大きな資本を投下し、日々開発を進めている。特に外装７０９に関しては受信性能確保から樹脂等の非金属材料が好適であるが、質感を伴わない安物時計として認識されるが故に、許容できる限界までの性能劣化を受け入れ、敢えて金属製外装を採用しているのが現実である。
【０００６】
標準電波は周波数４０〜１００KHｚ程度の長波と呼ばれる周波数にて運用されており、時刻情報（タイムコード）は、６０秒周期のパルス信号からなる。この様な周波数の場合、ソーラーセル７０２の構成は電極が張り巡らされた極めて薄い金網と同じ構成と同一であり、アンテナ７０３に対して劣化要因になる。だが、波長が非常に長いのと、ソーラーセルが極めて薄く、更に直径３〜４ｃｍ程度の薄い金網状の物ではアンテナ７０３から見て殆ど影響が無い事や、電波時計に使用されているアンテナ７０３がコイルと同等の構造から磁場の変化を捕らえている要因もあり、ソーラーセル７０２の下にアンテナ７０３を配置しても機能上制約を余り受けない事が判っている。
【０００７】
こうした事から電力を沢山得ようとするならば、光の透過性の高い文字盤７０１を配置して、その直下にソーラーセル７０２を配置し、更にその下にアンテナ７０３を配置する図７の形態が好適であり、理にかなった構成方法である事が判る。
【０００８】
しかしながら、電力収支の観点から光の透過率が高い文字盤７０１を使用した場合はカバーガラス７００を通して濃紫色のソーラーセル７０２の認識が出来てしまいデザインの質感を落とす問題がある。また、より質感の高いデザインの一つとして文字盤７０１を金属
製にしたい要望もあるが、金属文字盤は光を透過しない問題もある。いずれもソーラーセルを用いる事に付随した問題点であり、特にデザインの観点から問題が生ずるのである。だが、こうした問題の解決にも種々の提案を見ることが出来る。
【先行技術文献】
【特許文献】
【０００９】
【特許文献１】特開２００５−２７４２４７号公報
【００１０】
特許文献１によれば、上記の課題を解決するため、カバーガラスと文字盤との間で、該文字盤の外周縁部に透光性の見返しリングと、該見返しリングの外周にリング状に配設したソーラーセルを備え、該ソーラーセルの前面側又は背面側又は背面側の少なくとも一方側にアンテナを備えた構造が提案されている。
こうした構造により、通常の金属製外装を使用しても、何の支障もなく時刻情報等の電波を受信して時刻修正することができ、また従来の構成と異なり外周にリング状に配設したソーラーセルを備えた事により文字盤下にソーラーセル独特の濃紫色が視認されず、安定した防水品質の下で高級感が得られる携帯時計が得られるとされている。また、一般の時計同様の金属文字盤の採用が可能になる事でデザインバリエーションの拡大を図ることが可能な携帯時計を提供することが可能とされている。
【発明の概要】
【発明が解決しようとする課題】
【００１１】
これまでの様な長波の標準電波を用いた電波修正時計では、ソーラーセルの影響がアンテナに対して軽微であり、それが故に文字盤の下にソーラーセルを配置し、その下にアンテナを配置した構造や、特許文献１の如くリング状のソーラーセルを配置し、それに近接した位置にアンテナを配置する構造等、何れも金属外装を用いた場合に電波が到来する唯一の方向であるカバーガラス方向から見て、アンテナ位置を覆い塞ぐ形でのソーラーセルの使用が前提であり、それを基にしてデザインや質感向上のメリットを謳っている発明が開示されている。
【００１２】
他方、今日では多様な周波数帯域にて情報のやりとりが行われ、その中に時刻情報を含む電波信号もある。こうした一例として、１．５ＧＨｚ帯域でのＧＰＳ電波、２ＧＨｚ帯域でのＣＤＭＡ携帯電話電波、同じくBluetooth（「Bluetooth」は、登録商標である。）電波等の所謂高周波をベースにした電波信号を利用して時刻情報やその他の有用な情報を得ることが可能である。
【００１３】
この様な高周波信号は波長が短く、直進性が強いのと、電磁波の電界成分を主に利用し、共振現象を巧みに利用した小型アンテナが利用される。この様な帯域ではソーラーセルに配置されたアモルファスシリコン薄膜やＩＴＯ電極膜が極めて薄い金網と同等の作用を及ぼすので、アンテナ上に覆い塞ぐ格好での利用が出来ない問題がある。
【００１４】
また、この様な電波を受信する受信機であっても腕時計型にした場合には、時計本来の持つ商品特性上デザインや質感の要求は不変であり、外装に金属が求められるのは言うまでもない。寧ろ外装の質感の中に文字盤の色、質感も含まれ、従来同様構成にてソーラーセルを利用した場合には色味の視認の問題も存在する。これらに付け加えて更に、アンテナ受信性能の確保が要求され、その要求に従ってソーラーセルを小さくした場合には、動作に必要な電力収支が悪化すると言う問題がある。
【００１５】
本発明は、高周波信号を受信する電波時計において、ソーラーセルとアンテナを備えつつ、受信性能を損なうことなく、ソーラセルによる充分な起電力が得られ、且つ腕時計としての質感やデザインを兼ね備え得る電波時計を提供する事を目的とする。
【課題を解決するための手段】
【００１６】
上記問題を解決するために、本発明は、
カバーガラスの下に配置された文字盤と、
時計内に配置されたアンテナと、
時計内に配置されたソーラーセルと、を備え、
前記ソーラーセルは、前記文字盤の下に配置され、
前記ソーラーセルの発電面は、文字盤に平行に配置され、
前記ソーラーセルは、切り欠き部を有し、
該切り欠き部の辺は、分割線で構成され、
前記アンテナは、前記切り欠き部に配置されている
ことを特徴とする。
【００１７】
前記アンテナはＧＰＳ帯域を受信するパッチアンテナである
ことを特徴とする。
【００１８】
前記切り欠き部は、前記文字盤方向から見て、前記アンテナが投影される面積以上の領域を有することを特徴とする。
【発明の効果】
【００１９】
本発明の効果として、ソーラーセルの電極層と前記アンテナとが平面的に重ならないため、ソーラーセルの電極層により受信性能が低下することが無い。
従って、ＧＰＳなどの高周波を受信する電波時計においても、従来の電波時計と略同様の構成を採用しながら、受信性能を確保することが可能となる。
【図面の簡単な説明】
【００２０】
【図１】本発明の第１実施形態に係る電波時計の斜視図である。
【図１ａ】図１における電波時計の断面図である。
【図１ｂ】図１における電波時計の文字盤方向から見た概略透視図である。
【図１ｃ】図１における電波時計の変形例を示す文字盤方向から見た概略透視図である。
【図１ｄ】図１における電波時計の変形例を示す文字盤方向から見た概略透視図である。
【図１ｅ】図１における電波時計の変形例を示す文字盤方向から見た概略透視図である。
【図１ｆ】図１における電波時計の変形例を示す文字盤方向から見た概略透視図である。
【図１ｇ】図１における電波時計の変形例を示す文字盤方向から見た概略透視図である。
【図２】本発明の第２実施形態に係る電波時計の斜視図である。
【図２ａ】図２における電波時計の断面図である。
【図３】本発明の第３実施形態に係る電波時計の斜視図である。
【図４】本発明の第４実施形態に係る電波時計の斜視図である。
【図４ａ】図４における電波時計の断面図である。
【図５】本発明の第５実施形態に係る電波時計の斜視図である。
【図５ａ】図５における電波時計の断面図である。
【図５ｂ】図５における電波時計の文字盤方向から見た概略透視図である。
【図５ｃ】図５における電波時計の変形例を示す断面図である。
【図６】本発明の第６実施形態に係る電波時計の斜視図である。
【図６ａ】図６における電波時計の文字盤方向から見た概略透視図である。
【図７】従来例を示す長波電波修正時計の斜視図である。
【発明を実施するための形態】
【００２１】
〔第１の実施の形態：基本実施形態〕
以下、本発明の実施の形態に係わる電波時計１を図面に基づいて説明する。
本第１の実施の形態は、本発明の基本実施形態を示すものである。
【００２２】
［第１の実施形態における電波時計１の構成］
第１の実施形態における電波時計１は、図１、図１ａに示すようにカバーガラス１００の下に文字盤１０１、文字盤１０１の直下にソーラーセル１０２が配置されている。更にその下方にアンテナ１０３、アンテナを保持し、固定している回路基板１０４、回路基板に実装された信号処理ＩＣ１０５、時計針を駆動する為の輪列１０６、輪列１０６を動かすモーター１０７が配置されている。ソーラーセル１０２にて発生した電力は時計裏蓋側に配置された電池１０８にて蓄えられ使用される。これらの内蔵物を納める外装１０９、時計に対して外部からの制御を行う竜頭１１０が配置される。これらの代表的な部品以外にも時計を構成する部品はたくさんあるが、本発明の趣旨に直接的に関わらないので省略する。
【００２３】
文字盤１０１はその下に配置されたソーラーセル１０２に対し光を透過する必要があり、非金属製の樹脂で構成される。デザインの観点から透過率を下げても部分的に金属薄膜やメッキが装飾として使用されるが、デザインと透過率のトレードオフの関係から透過率は適宜調整される。但し、この透過率の制御にも関わらず場合によっては下に配置されたソーラーセル１０２に存在する分割線１１２が薄く見えたり、セル自体の濃紫色の色味が反映されたりする等の問題がある。
【００２４】
ソーラーセル１０２はアモルファスシリコン薄膜からなる光電変換層やアルミニウム薄膜からなる電極薄膜、ＩＴＯからなる透明電極薄膜から構成されており、透明電極薄膜の積層厚みは数ミクロン程度の厚みであり、これらを樹脂フィルムにて封印している。この為、周波数が低い長波帯域ではそれを受信するアンテナに対して殆ど影響を及ぼさないが、波長が短くなる高周波ではＩＴＯからなる透明電極薄膜が金属膜と同等の作用をアンテナに及ぼす。
【００２５】
その為、実施例１に基づく図１ではソーラーセル１０２を文字盤方向から見てアンテナ１０３が投影される部分以上の領域にあたるソーラー切り欠き部１１１を切り欠いている。切り欠く領域は使用するアンテナによって様々に変化するが、例えばＧＰＳ帯域を受信するパッチアンテナをアンテナ１０３とした場合にはアンテナ外形から２〜３ｍｍ程度更に切り欠いた方が望ましい。
【００２６】
これは、パッチアンテナのアンテナ特性に重大な影響を与えるアンテナ表面のパッチ面とソーラーセル１０２の持つ金属成分とのカップリングの影響を小さくし、アンテナ本来の特性を損なわないためである。
これ以外の周波数や、アンテナやサイズが更に小さいチップアンテナ等でもアンテナ投影領域部分以上の切り欠けが必要であり、大きさ、形状等は調整を要し一概に決定出来ない。だが、最低限の領域設定として、アンテナ投影面積と同等は必要である。
【００２７】
外装１０９は受信アンテナを搭載した場合には非金属製の樹脂等で構成された方がアンテナ特性上非常に望ましい。だが、デザインや時計の持つ装飾品的価値観から金属材料で構成されるのを拒否する事は商品価値の観点から難しい。実施例１では金属材料で構成されても構わず、ＳＵＳやＴｉ合金等従来良く使用されている材料で何ら問題ない。この場合、アンテナの電波到来方向は文字盤方向のみとなり、金属外装によって側面や裏蓋側からの電波の進入は不可能である。このような形態の場合、文字盤方向でのアンテナ特性に有
害な影響を与えるソーラーセル１０２の当該部分を切り欠く有効性が強く発揮される。
【００２８】
［第１の実施形態の効果］
（１）受信性能の向上
本実施形態の電波時計１では、ソーラーセル１０２を文字盤方向から見てアンテナ１０３が投影される部分以上の領域にあたるソーラー切り欠き部１１１を切り欠く事により、外装１０９が金属からなる材料が用いられたとしても電波到来方向にアンテナ性能を阻害するソーラーセル１０２の持つ金属薄膜が切り欠かれている事により、効果的にアンテナ１０３が電波を捕捉することが可能になる。
【００２９】
［第１の実施形態の変形例］
アンテナ投影部分を切り欠くソーラーセルとして、実施例１では従来良く用いられている平面型の文字盤下ソーラーセルの一部を切り欠いた図１ｂ以外にも図１ｃ、図１ｄ、図１ｅ、図１ｆ、図１ｇ等の変形例も本発明の範疇である。
【００３０】
図１ｃはソーラーセル１０２から扇形にカットしたものであり、図１ｄはソーラーセル１０２からアンテナ部分に相当する領域のみを切り落としたものであり、図１ｅはソーラーセル１０２からアンテナ部分に相当する領域よりもより大きな範囲を切り欠いたものである。
【００３１】
これらはアンテナ部分に相当する領域をアンテナに対して影響を及ぼさない配慮とソーラーセル１０２の発電量の兼ね合いからカットする面積を適宜調整した構造例である。
【００３２】
このうち、図１ｄ、図１ｅの例は、図１ｂ、図１ｃの例と比較し、形状的に強度が強く、時計への組み込み等扱いが容易となるメリットがある。
【００３３】
特に図１ｅの形状は、製造が簡単で取り扱いやすいメリットがあるが、反面、発電面積が小さくなるデメリットも有する。
【００３４】
一方、図１ｆはソーラーセル１０２からアンテナ部分を含んだ時計中央部分を中抜きしたドーナツ状ソーラーセルであり、図１ｇは外装１０９に沿って配置されるリングソーラーを採用したものである。これらのソーラーセルは構造的に特異な形状であり、デザインの多様性を生かす目的と、更にアンテナ性能を阻害しない目的との兼ね合いから使用される。何れもアンテナ部分以上に広くソーラーセルが無い事によりアンテナの性能を最大限に引き出す事が可能となるが、ソーラーセル自体の面積量が少なくなるので発電量が少なくなる問題をはらんでいる。
【００３５】
いずれにせよ、どのような形状を採用するかは、アンテナの形状と特性、ならびに時計に必要な発電量、組み込みなどの取り扱いの良さ等を適宜勘案し、決定すればよい。
【００３６】
また、文字盤は光を透過するので、文字盤下の構造物の色味が反映されてしまう問題が本実施例ではある。このような文字盤を通してソーラーセルの色味が反映する問題は、ソーラーセルを切り欠いた構造では特に顕著になるが、この問題の一つの解決方法として、図１におけるソーラー切り欠き部１１１の下に配置されたアンテナ１０３をアンテナ性能に影響を与えない塗料、特に金属粉末等を含まない塗料でアンテナ表面、若しくは全体、若しくはその周囲を含めて着色する事も一つである。
【００３７】
〔第２の実施の形態〕
次に、本発明の第２の実施形態について説明する。
なお、以下の各実施形態において、前述した第１実施形態と同一または同様の構成につ
いては、同一の符号を付し、その説明は省略する。
第１実施形態はソーラーセルを切り欠くことにより、強度的に問題が発生していた。第２の実施形態では、ソーラーセルの強度の改善を目的にしたものである。
【００３８】
［第２の実施形態における電波時計１の構成］
第２の実施形態における電波時計１は、図２、図２ａに示すように構成されている。第１の実施形態における電波時計との差異は、ソーラーセル２０２はソーラーセル２０２を文字盤方向から見てアンテナ２０３が投影される部分以上の領域の電極を抜いたソーラー電極未配置部２１１が存在している事である。ソーラー電極未配置部２１１はソーラーセル１０２のアモルファスシリコン薄膜からなる光電変換層やアルミニウム薄膜からなる電極薄膜、ＩＴＯからなる透明電極薄膜等の金属要素を持つ部分が配置されておらず、樹脂フィルムのみが存在している。
【００３９】
［第２の実施形態の効果］
（１）受信性能の向上
本実施形態の電波時計１では、ソーラーセル２０２を文字盤方向から見てアンテナ２０３が投影される部分以上の領域の電極を抜いたソーラー電極未配置部２１１が存在している事により、外装２０９が金属からなる材料が用いられたとしても電波到来方向にアンテナ性能を阻害する事無く、効果的にアンテナ２０３が電波を捕捉することが可能になる。
【００４０】
（２）ソーラセルの強度向上と保持構造の簡略化
ソーラーセルの一部を切り欠く事により、残った端部が細くなり、当該箇所のソーラーセルの強度が低下する。また、強度が不足するので、端部を固定する為の特別な保持構造が必要となってしまう。本実施形態の電波時計１では、ソーラーセル２０２にソーラー電極未配置部２１１を有しているが、切り欠いていないので樹脂フィルムが残っている。これにより、一般的なソーラーセルを用いた腕時計の保持構造をそのまま適用出来るメリットが生ずる。
【００４１】
〔第３の実施の形態：第２実施形態の変形例〕
次に、本発明の第３の実施形態について説明する。
なお、以下の各実施形態において、前述した第２実施形態と同一または同様の構成については、同一の符号を付し、その説明は省略する。
第１、第２実施形態とも、ソーラーセルに太陽電池層が配置されている領域と配置されていない領域が存在する。このため、透過するソーラーセルの色が上記各領域で異なり、文字盤の見栄えを悪化させていた。第３の実施形態は、これを改善するものである。
【００４２】
［第３の実施形態における電波時計１の構成］
第３の実施形態における電波時計１は、図３に示すように構成されている。第２の実施形態における電波時計との差異は、ソーラーセル３０２はソーラーセル３０２を文字盤方向から見てアンテナ３０３が投影される部分以上の領域の電極を抜いたソーラー電極未配置部をソーラーセル３０２のその他の部分と同色になるように濃紫色に着色した、ソーラー着色部３１１を有することである。
【００４３】
［第３の実施形態の効果］
（１）受信性能の向上
本実施形態の電波時計１では、ソーラーセル３０２を文字盤方向から見てアンテナ３０３が投影される部分以上の領域の電極を抜いたソーラー電極未配置部が存在している事により、外装３０９が金属からなる材料が用いられたとしても電波到来方向にアンテナ性能を阻害する事無く、効果的にアンテナ３０３が電波を捕捉することが可能になる。
【００４４】
（２）ソーラセルの強度向上と保持構造の簡略化
ソーラーセルの一部を切り欠く事により、残った端部が細くなり、当該箇所のソーラーセルの強度が低下する。更に、強度が不足するので端部を固定する為の特別な保持構造が必要となる。本実施形態の電波時計１では、ソーラーセル３０２にソーラー電極未配置部を有しているが、切り欠いていないのでソーラーセルの樹脂フィルムが残っている。これにより、一般的なソーラーセルを用いた腕時計の保持構造をそのまま適用出来るメリットが生ずる。
【００４５】
（３）文字盤を通してのソーラセルの色味が同一となる
本実施形態３の如く、ソーラー電極未配置部をソーラーセル３０２のその他の部分と同色になるように濃紫色に着色した、ソーラー着色部３１１を有することにより、透過率のある文字盤３０１を通して着色された部分とソーラーセルが配置された部分との色味の差が認識されなくなり、文字盤３０１の下に配置されたソーラーセル３０２が目立たなくなり、商品の質の向上やデザインの向上が図られる。
【００４６】
〔第４の実施の形態〕
次に、本発明の第４の実施形態について説明する。
なお、以下の各実施形態において、前述した第１実施形態と同一または同様の構成については、同一の符号を付し、その説明は省略する。
【００４７】
［第４の実施形態における電波時計１の構成］
第４の実施形態における電波時計１は、図４、図４ａに示すように構成されている。第１の実施形態における電波時計との差異は、カバーガラス４００の文字盤側方向に透明ソーラー４１１が配置されている。
【００４８】
透明ソーラー４１３は極微細幅なアモルファスシリコンを適当な間隔を開けて配置し、それにＩＴＯの透明電極薄膜から構成された構造からなり、見た目には透明に見える。だが、アンテナ４０３から見てこれらの電極薄膜は阻害要因となるので、ソーラーセル４０２と同様にアンテナ４０３が投影される部分以上の領域の電極を抜いており、切り欠いている。こうする事により透明ソーラー４１３にて発電され、更にそこを透過した光により文字盤４０１を通してソーラーセル４０２にて発電される。
【００４９】
ソーラーセル４０２と透明ソーラー４１３は望ましくは、互いが異なる波長にて発電した方が良い。こうする事で、透明ソーラー４１３にて吸収された光が減光してソーラーセル４０２の発電量を抑える事もなく、アンテナ４０３によって切り欠かれた領域分によって本来発電される電力を効果的に補う事が可能となる。また、ソーラーセル４０２は実施例１、２、３の何れの構造を採用しても問題ない。
【００５０】
［第４の実施形態の効果］
（１）受信性能の向上
本実施形態の電波時計１では、ソーラーセル４０２、及び透明ソーラー４１３を文字盤方向から見てアンテナ４０３が投影される部分以上の領域の電極を抜いたソーラー電極未配置部が存在している事により、外装４０９が金属からなる材料が用いられたとしても電波到来方向にアンテナ性能を阻害する事無く、効果的にアンテナ４０３が電波を捕捉することが可能になる。
【００５１】
（２）外装材料に依存しない光発電の発電量アップ
ソーラーセルの一部が切り欠かれる事により、受光面積が減少し発電量が減ってしまうが、本実施形態では透明ソーラーをカバーガラス４００の文字盤側方向に配置した事により、透明ソーラーとソーラーセルの２つのソーラーセルからの発電が可能になり、光発電の
発電量アップがなされる。特に外装材料が金属等の光を透過しない素材からなる場合は特別な採光の手段を必要としない本実施例が極めて有効である。
【００５２】
［第４の実施形態の変形例］
（１）上述の第４の実施形態では、ソーラーセル４０２はアンテナと平面的に重なる部分を切り欠く第１実施形態と同じ形状で説明したが、太陽電池層を形成しない第２実施形態や太陽電池非配置領域を着色する第３実施形態を採用しても良く、その効果も同一のものとなる。
【００５３】
〔第５の実施の形態〕
次に、本発明の第５の実施形態について説明する。
なお、以下の各実施形態において、前述した第１実施形態と同一または同様の構成については、同一の符号を付し、その説明は省略する。
【００５４】
［第５の実施形態における電波時計１の構成］
第５の実施形態における電波時計１は、図5、図５ａ、図５ｂに示すように構成されて
いる。第１の実施形態における電波時計との差異は、外装５０９の素材とリングソーラー５１３が外装５０９の内側円周に沿って配置されている。
【００５５】
リングソーラー５１３は実施例４に記載された透明ソーラー、若しくはソーラーセル５０２と同じソーラーセルから構成されている。外装５０９の側面にソーラーセルが配置されるため、外装５０９の素材には光を透過する素材の限定、若しくは採光手段を講じた形状等の制約を受ける。
【００５６】
光を透過する素材としては、ガラス、アクリル、その為透明または半透明樹脂等があげられる。採光手段を講じた形状としては光を取り込むためのスリットや穴等の形状を有した光を透過しない金属や樹脂等の素材と、その採光部分に前記光を透過する素材を複合的に用いて構成される。
【００５７】
勿論、外装全体を光を透過する素材で構成すればその限りではではない。また、外装が非金属で構成された場合、アンテナ５０３の受信劣化要因として大きな要因となる外装５０９の影響が無くなるのでアンテナの性能を最大限に引き出すことが可能になる。
【００５８】
［第５の実施形態の効果］
（１）受信性能の向上
本実施形態の電波時計１では、ソーラーセル５０２を文字盤方向から見てアンテナ５０３が投影される部分以上の領域の電極を抜いたソーラー電極未配置部が存在している事と、同じく文字盤方向から見てアンテナ５０３が投影される部分以上の外側にリングソーラー５１３が配置されていることにより、外装５０９が金属からなる材料が用いられたとしても電波到来方向にアンテナ性能を阻害する事無く、効果的にアンテナ５０３が電波を捕捉することが可能になる。更に、外装全体が非金属による光を透過する材料から構成された場合にはアンテナの性能を最大限に引き出すことが可能になる。
【００５９】
（２）光発電の発電量アップ
ソーラーセルの一部が切り欠かれる事により、受光面積が減少し発電量が減ってしまうが、本実施形態ではリングソーラーを外装側面に配置した事により、リングソーラーとソーラーセルの２つのソーラーセルからの発電が可能になり、光発電の発電量アップがなされる。
【００６０】
［第５の実施形態の変形例］
（１）図５ｃの如く、文字盤５０１とカバーガラス５００との間に生じる空間の内周部にリングソーラー５１３を配置することも本実施例の範疇である。この場合には、外装の選定自由度が増す事によるデザインの多様性が確保されるが、他方アンテナ上面部分にリングソーラー５１３が配置されるのでその電極がアンテナ５０３へ影響を及ぼし、感度劣化の一因となるデメリットも存在する。
【００６１】
（２）上述の第５の実施形態では、ソーラーセル５０２はアンテナと平面的に重なる部分を切り欠く第１実施形態と同じ形状で説明したが、太陽電池層を形成しない第２実施形態や太陽電池非配置領域を着色する第３実施形態を採用しても良く、その効果も同一のものとなる。
【００６２】
〔第６の実施の形態：第５実施形態の変形例〕
次に、本発明の第６の実施形態について説明する。
なお、以下の各実施形態において、前述した第５実施形態と同一または同様の構成については、同一の符号を付し、その説明は省略する。
第５の実施形態、特に、外装５０９の側面にリングソーラー５１１を配置する構成では、発電量の増大が望める。また、アンテナ５０３の受信面よりもリングソーラー５１１の電極層が低くなるように配置されていれば受信への影響も小さい。
しかし、若干の影響は存在するので、その影響を低減するのが本実施形態である。
【００６３】
［第６の実施形態における電波時計１の構成］
第６の実施形態における電波時計１は、図６、図６ａに示すように構成されている。第５の実施形態における電波時計との差異は、リングソーラー６１３がアンテナ６０３と近接する箇所の部分をカットした事である。
【００６４】
アンテナ近傍に配置されたリングソーラーもアンテナへの影響を及ぼすので感度劣化を引き起こす。どの範囲をカットするのかはアンテナにより異なるが、例えばＧＰＳ帯域を受信するパッチアンテナをアンテナ６０３とした場合にはアンテナ外形から２〜３ｍｍ程度の範囲内に掛かる部分をカットした方が望ましい。
【００６５】
この方法によれば、例えば外装６０９が光を透過する非金属製からなる場合は、外装６０９による劣化、ソーラーセル６０２による劣化、リングソーラー６１３による劣化のいずれも受けることなく、最大の性能を発揮する事が可能となる。
【００６６】
［第６の実施形態の効果］
（１）受信性能の向上
本実施形態の電波時計１では、ソーラーセル６０２を文字盤方向から見てアンテナ６０３が投影される部分以上の領域の電極を抜いたソーラー電極未配置部が存在している事と、同じく文字盤方向から見てアンテナ６０３が投影される部分以上の外側にリングソーラー６１３が配置されており、更にアンテナ６０３近傍部分がカットされていることにより、電波到来方向にアンテナ性能を阻害する要因が無く、効果的にアンテナ６０３が電波を捕捉することが可能になる。更に、外装全体が非金属による光を透過する材料から構成された場合にはアンテナの性能を最大限に引き出すことが可能になる。
【００６７】
（２）光発電の発電量アップ
ソーラーセルの一部が切り欠かれる事により、受光面積が減少し発電量が減ってしまうが、本実施形態ではリングソーラーを外装側面に配置した事により、リングソーラーとソーラーセルの２つのソーラーセルからの発電が可能になり、光発電の発電量アップがなされる。
【００６８】
［第６の実施形態の変形例］
（１）上述の第６の実施形態では、ソーラーセル６０２はアンテナと平面的に重なる部分を切り欠く第１実施形態と同じ形状で説明したが、太陽電池層を形成しない第２実施形態や太陽電池非配置領域を着色する第３実施形態を採用しても良く、その効果も同一のものとなる。
【００６９】
（２）上述の第６の実施形態では、リングソーラー６１３のアンテナ６０３近傍部分がカットされている実施形態（第１の実施形態相当）で説明したが、カットするかわりに太陽電池層を設置しない実施形態（第２の実施形態相当）で実施しても良い。
また、外装６０９が透明部材で構成されソーラーセルの色調をそろえる必要がある場合は、太陽電池非配置領域を着色する（第３実施形態相当）を実施しても良い。
【００７０】
（３）上述の第６の実施形態では、リングソーラー６１３が外装６０９の側面に配置される構造で説明したが、図５ｃの実施形態に適用しても同様の効果を売ることが出来る。
リングソーラー６１３としては、上記（２）と同じ内容の構成とすることが出来る。
【符号の説明】
【００７１】
１００、２００、３００、４００、５００、６００、７００  カバーガラス
１０１、２０１、３０１、４０１、５０１、６０１、７０１  文字盤
１０２、２０２、３０２、４０２、５０２、６０２、７０２  ソーラーセル
１０３、２０３、３０３、４０３、５０３、６０３、７０３  アンテナ
１０４、２０４、３０４、４０４、５０４、６０４、７０４  基板
１０５、２０５、３０５、４０５、５０５、６０５  信号処理ＩＣ
７０５  ＲＦ受信ＩＣ
１０６、２０６、３０６、４０６、５０６、６０６、７０６  輪列
１０７、２０７、３０７、４０７、５０７、６０７、７０７  モーター１０８、２０８、３０８、４０８、５０８、６０８、７０８  電池
１０９、２０９、３０９、４０９、５０９、６０９、７０９  外装
１１０、２１０、３１０、４１０、５１０、６１０、７１０  竜頭
１１１、５１１、６１１  ソーラー切り欠き部
２１１  ソーラー電極未配置部
３１１  ソーラー着色部
１１２  分割線
４１３  透明ソーラー
５１３、６１３  リングソーラー
【図１】
2014059321.tif 000003
【図１ａ】
2014059321.tif 000004
【図１ｂ】
2014059321.tif 000005
【図１ｃ】
2014059321.tif 000006
【図１ｄ】
2014059321.tif 000007
【図１ｅ】
2014059321.tif 000008
【図１ｆ】
2014059321.tif 000009
【図１ｇ】
2014059321.tif 000010
【図２】
2014059321.tif 000011
【図２ａ】
2014059321.tif 000012
【図３】
2014059321.tif 000013
【図４】
2014059321.tif 000014
【図４ａ】
2014059321.tif 000015
【図５】
2014059321.tif 000016
【図５ａ】
2014059321.tif 000017
【図５ｂ】
2014059321.tif 000018
【図５ｃ】
2014059321.tif 000019
【図６】
2014059321.tif 000020
【図６ａ】
2014059321.tif 000021
【図７】
2014059321.tif 000022